(57)【要約】【課題】締結部材の固着部の引き剥がし強度を確保しつつ、金属カバーのカシメ部による外観上の影響を最小限にすることが可能な電子機器を提供すること。【解決手段】第１の外装部材と、第２の外装部材と、第１の外装部材に固着され、第２の外装部材に係合する係合部を備え、係合部と第２の外装部材との固着部との間にスリット開口部が形成されている締結部材と、を有する。【選択図】図３
2016145868.tif 000002
【特許請求の範囲】
【請求項１】
第１の外装部材と、
第２の外装部材と、
前記第１の外装部材に固着され、前記第２の外装部材に係合する係合部を備え、前記係合部と前記第２の外装部材との固着部との間にスリット開口部が形成されている締結部材と、を有することを特徴とする電子機器。
【請求項２】
前記スリット開口部は、前記係合部と前記固着部とを通る直線に垂直な方向に沿って形成されていることを特徴とする請求項１に記載の電子機器。
【請求項３】
前記スリット開口部の幅は、前記固着部の幅と同等以上であることを特徴とする請求項２に記載の電子機器。
【請求項４】
前記スリット開口部は、前記固着部を囲うように形成されていることを特徴とする請求項１に記載の電子機器。
【請求項５】
前記スリット開口部は、略円形状に形成されていることを特徴とする請求項４に記載の電子機器。
【請求項６】
前記締結部材には、前記固着部に対して前記スリット開口部と反対側に連結部が形成されており、
前記連結部の幅は、前記固着部の幅と同等以上であることを特徴とする請求項４または５に記載の電子機器。
【請求項７】
前記スリット開口部のうち前記係合部から最も離れている端部から前記締結部材の前記係合部が形成されている側の第１端とは反対側の第２端までの長さは、前記端部から前記係合部までの長さ以上であることを特徴とする請求項１から６のいずれか１項に記載の電子機器
【発明の詳細な説明】
【技術分野】
【０００１】
本発明は、デジタルカメラ等の電子機器に関する。
【背景技術】
【０００２】
従来、デジタルカメラ等の電子機器では、前後が金属カバーで覆われているものが多い。各金属カバーの内側には締結部材がカシメによって固定され、前後の金属カバーは締結部材同士が係合することでお互いに隙間なく合わさった状態で保持される。また、前後の金属カバーを締結部材により固定することで、落下等による金属カバー間の開きも抑制される。
【０００３】
金属カバーに締結部材をカシメによって固定する際には、金属カバーにカシメ用の突起を形成する必要がある。金属の部品は、金属成型の特性上、基本的に均等肉厚で成型する。そのため、金属カバーの内側に突起を形成すると、外側にはその突起の飛び出し量と同一のへこみを形成する必要がある。金属カバーの外側は外観面になるため、外観上不必要なへこみとなり、好ましくない。
【０００４】
また、近年小型化が進むデジタルカメラ等の電子機器では、製品内部の空間を最小限に抑える必要がある。そのため、組み立て時に近接する部品に接触させながら作業を行う必要があり、各部品には量産中の手作業による組みばらしの負荷でも耐えられる強度が必要である。金属カバーにカシメによって固定されている締結部材も、カシメ部の引き剥がし強度を確保する必要がある。カシメ部の引き剥がし強度を確保するために、カシメ部の径を大きくすることや、カシメ部の数を増やすことが考えられる。しかしながら、前述したように、外観面にへこみを形成する必要があるため、外観を損ねてしまう。
【０００５】
特許文献１では、締結部材のカシメによって固定されている箇所の外側部を前後の金属カバーの間に設けられた別部材で覆うことでへこみを隠している。これにより、カシメ部の径を大きくしても、カシメ部の数を増やしても、外観上の品位を損なうことはない。
【先行技術文献】
【特許文献】
【０００６】
【特許文献１】特開２００７−３３５１０号公報
【発明の概要】
【発明が解決しようとする課題】
【０００７】
しかしながら、特許文献１では、前後の金属カバーの間に別部材を設けるため、デザイン上の制約となってしまう。また、コストが増加してしまう。
【０００８】
このような課題を鑑みて、本発明は、締結部材の固着部の引き剥がし強度を確保しつつ、固着部による外観上の影響を最小限にすることが可能な電子機器を提供することを目的とする。
【課題を解決するための手段】
【０００９】
本発明の一側面としての電子機器は、第１の外装部材と、第２の外装部材と、前記第１の外装部材に固着され、前記第２の外装部材に係合する係合部を備え、前記係合部と前記第２の外装部材との固着部との間にスリット開口部が形成されている締結部材と、を有することを特徴とする。
【発明の効果】
【００１０】
本発明によれば、締結部材の固着部の引き剥がし強度を確保しつつ、固着部による外観上の影響を最小限にすることが可能な電子機器を提供することができる。
【図面の簡単な説明】
【００１１】
【図１】本発明の実施形態に係る電子機器の一例であるデジタルカメラの外観斜視図である。
【図２】デジタルカメラの分解斜視図である。
【図３】締結部材の斜視部である。
【図４】締結部材の断面図である。
【図５】締結部材の正面図である。
【発明を実施するための形態】
【００１２】
以下、本発明の実施例について、図面を参照しながら詳細に説明する。各図において、同一の部材については同一の参照番号を付し、重複する説明は省略する。  図１は、本発明の実施形態に係る電子機器の一例であるデジタルカメラの外観斜視図である。デジタルカメラ１は、主に背面カバー（第１の外装部材）２と前面カバー（第２の外装部材）３に覆われており、上面には操作系として、レリーズボタン７、ズームレバー８、および電源ボタン９が配置されている。レリーズボタン７は、２段スイッチとなっており、１段押しでデジタルカメラ１に搭載されたオートフォーカス機構によりフォーカス調整を行い、さらに押し込む２段押しでシャッター動作を行う。ズームレバー８を操作することで、撮像手段５はズームインまたはズームアウトを行う。電源ボタン９を押圧することで、デジタルカメラ１の起動ＯＮ／ＯＦＦを行う。
【００１３】
デジタルカメラ１の前面側には、撮像手段５とストロボ６が配置されている。撮像手段５は不図示の撮像センサやレンズを搭載したカメラユニットで、画像撮影時に使用する。電源ボタン９や、レリーズボタン７を操作することで、撮像手段５が突出して撮影が可能になる。ストロボ６は、撮影時に光量が足りないときなどに必要に応じて発光して、光量を補う。背面側には、ＬＣＤパネル（不図示）が配置され、撮像する被写体を確認したり、撮影した画像を確認したりすることが可能である。
【００１４】
図２は、背面カバー２と前面カバー３を分解した、デジタルカメラ１の分解斜視図になる。内部ユニット１１は、背面カバー２と前面カバー３で覆われている。背面カバー２と前面カバー３は底面部と側面部をネジ（不図示）で内部ユニット１１の部品に締結されて固定されている。上面側では、背面カバー２に取り付けられている締結部材（弾性部材）４が前面カバー３に係合している。また、前面カバー３に取り付けられている締結部材４ｂが背面カバー２に係合している。これらの係合により、背面カバー２と前面カバー３が固定されている。本実施形態では、背面カバー２と前面カバー３は、アルミなどの金属で形成されている。
【００１５】
締結部材４の周辺構成について、図３，４を用いて説明する。締結部材４は、背面カバー２に、カシメによって取り付けられている。締結部材４のカシメ穴４２に背面カバー２に形成されているカシメ凸部２２を嵌め込み、カシメ凸部２２に圧力を加えてつぶすことで、カシメ部（固着部）２３を形成している。締結部材４は、カシメ部２３によって、背面カバー２に固定されている。締結部材４のカシメ部２３周辺は、背面カバー２と接触している。締結部材４の先端には、前面カバー３に係合する係合部４１が形成されている。係合部４１は、前面カバー３の背面カバー２との合わせ端部に設けられているストッパ３１の側壁に係合する。この係合により、背面カバー２と前面カバー３を組み立てたとき、互いの上面部が離間しない。このため、上述したデジタルカメラ１の底面部や側面部に設けられているネジを締結すると、背面カバー２と前面カバー３は内部ユニット１１を完全に覆った状態で固定される。デジタルカメラ１が落下した場合でも、係合部４１がストッパ３１に係合しているため、ネジを止めていない上面部も背面カバー２と前面カバー３が離間して開くことはない。背面カバー２と前面カバー３を組み立てる際は、締結部材４の先端がストッパ３１を乗り越えていくので、組立てやすいように締結部材４の先端には傾斜部４３を設けている。これにより、係合部４１がストッパ３１に係合するまでは容易に組み立てを行え、係合後は背面カバー２と前面カバー３が容易に離間させることができない構成となっている。
【００１６】
カシメ穴４２と係合部４１との間には、スリット開口部４４が形成されている。スリット開口部４４は、カシメ部２３の近傍で、カシメ部２３を囲うように略円形状に形成されている。カシメ部２３に対して係合部４１と反対側には、連結部４５が形成されている。
【００１７】
上述したように、締結部材４の係合部４１と前面カバー３のストッパ３１が係合した後は、背面カバー２と前面カバー３を離間させることが困難である。そのため、背面カバー２と前面カバー３を分解する際には、少なからず締結部材４に負荷を掛けながら分解することになる。特に、ストッパ３１を乗り越えるときに負荷が加わるため、係合部４１には図４の下方向へ締結部材４を引き剥がす力が加わる。そうすると、カシメを行っているカシメ部２３に負荷が加わることになる。分解は人が行うので、締結部材４に対する負荷は大きく異なる。そのため、カシメ部２３には、分解時に掛かる負荷に対して余裕がある耐久強度が必要となる。カシメ部２３の耐久強度を大きくするためには、カシメ凸部２２の形状を大きくすることや、または、締結部材４のカシメを行う個所を増やすことが考えられる。しかしながら、カシメ凸部２２は背面カバー２の外観部をヘコますことで形成され、カシメ凸部２２の形成とともにカシメ凹部２１が形成される。そのため、カシメ凸部２２の形状を大きくしたり、数を増やしたりすると、外観を損ねることとなり、好ましくない。
【００１８】
本実施形態では、締結部材４のカシメを行うカシメ穴４２と分解する際に負荷が掛かる係合部４１との間のカシメ部２３近傍に、スリット開口部４４が形成されている。そのため、係合部４１からの締結部材４を引き剥がす力は、カシメ部２３に直接伝わることはなく、連結部４５からカシメ部２３に伝わる。これにより、係合部４１に加えられた負荷は、スリット開口部４４の外周部付近を介して、連結部４５よりカシメ部２３に伝わる。負荷が加わった箇所からカシメ部２３までの応力における経路が長くなるため、カシメ部２３に掛かる負荷は軽減されることになる。
【００１９】
次に、スリット開口部４４の形状と効果に関する例について、図５を用いて説明する。図５（ａ）は、図３，４で説明した締結部材４の正面図である。図５（ｂ），（ｃ）は、スリット開口部４４の形状が異なる場合の締結部材４の正面図である。
【００２０】
図５（ａ）の締結部材４には、カシメ凸部２２が貫通する円形状のカシメ穴４２の周囲を囲うように、カシメ穴４２と同心円上に略円形状のスリット開口部４４ａが形成されている。図５（ａ）の締結部材４では、連結部４５の幅Ｌを２ｍｍ、カシメ部２３の幅ＤをΦ１.２で形成しているが、シミュレーションを行った結果、カシメ部２３に掛かる力がスリット開口部４４の有無で４０％改善する結果が得られた。
【００２１】
また、図５（ａ）において、スリット開口部４４の端部から分解時に負荷が加わる係合部４１までの距離Ｌ２と反対側の締結部材４の端部までの距離Ｌ３を任意で示している。しかしながら、距離Ｌ３の長さが長いほど、スリット開口部４４の端部を支点にして引き剥がし方向に発生した負荷を受ける範囲が増加するため、距離Ｌ３は長いほうが好ましい。また、本発明の効果を得るため、距離Ｌ３の長さは、距離Ｌ２の長さ以上であることが好ましい。
【００２２】
図５（ｂ）の締結部材４には、連結部４５の幅Ｌが最小となるスリット開口部４４ｂを形成している。図５（ｂ）の締結部材４では、連結部４５の幅Ｌはカシメ部２３の幅Ｄと同じである。連結部４５の幅Ｌが２０のカシメ部２３の幅Ｄよりも小さいと、係合部４１付近から伝わる引き剥がしの力がカシメ部２３だけでなく、連結部４５にも掛かってしまう。そのため、連結部４５の両端が塑性変形してしまう。したがって、連結部４５の幅Ｌは、カシメ部２３の幅Ｄと同等以上であることが好ましい。
【００２３】
図５（ｃ）の締結部材４には、連結部４５が最大範囲となるスリット開口部４４ｃを形成している。図５（ｃ）の締結部材４では、スリット開口部４４の幅ｌはカシメ部２３の幅Ｄと同じである。スリット開口部４４の幅lがカシメ部２３の幅Ｄよりも小さいと、係合部４１付近から伝わる引き剥がしの力がカシメ部２３に直接掛かる個所が発生してしまい、カシメ部２３に掛かる引き剥がし力が大きくなってしまう。したがって、スリット開口部４４の幅ｌは、カシメ部の幅Ｄと同等以上であることが好ましい。
【００２４】
なお、スリット開口部４４の形状は、カシメ部２３に加わる力を分散させることが可能であれば本実施形態で示したものに限らない。例えば、カシメ部２３を囲うような形状であってもよいし、係合部と固着部とを通る直線に垂直な方向に沿った形状であってもよい。
【００２５】
また、本実施形態では、締結部材４を固着する方法として、カシメを行って締結部材４と背面カバー２を固着しているが、この限りでなく、溶着や溶接によって固着してもよい。
【００２６】
以上、本発明の好ましい実施形態について説明したが、本発明はこれらの実施形態に限定されず、その要旨の範囲内で種々の変形及び変更が可能である。
【符号の説明】
【００２７】
１        デジタルカメラ（電子機器）
２        背面カバー（第１の外装部材）
２３      カシメ部（固着部）
３        前面カバー（第２の外装部材）
４        締結部材
４１      係合部
４４      スリット開口部
【図１】
2016145868.tif 000003
【図２】
2016145868.tif 000004
【図３】
2016145868.tif 000005
【図４】
2016145868.tif 000006
【図５】
2016145868.tif 000007